(57)【特許請求の範囲】
【請求項１】
基部と、前記基部に装備され使用者が着座する便座と、前記基部に装備され使用者の局部に洗浄液を噴出して前記局部を洗浄するシャワー部と、前記シャワー部の作動を制御する制御装置とを具備する人体局部洗浄装置において、
前記制御装置は、
内部に収容室を形成し樹脂を基材とする制御ケースと、
前記制御ケースの前記収容室に収容された電子部品または電気部品からなる実装部品と、
導電材料で形成され前記制御ケースの壁部に埋設され前記実装部品に電気的に導通する一端部をもつと共にコネクタ部または前記収容室内の他の実装部品に電気的に導通する他端部をもつ導電部材と、
前記実装部品の少なくとも一部を搭載する実装面を有すると共に前記収容室内において所定の間隔を隔てて積層された複数枚の制御基板とを有しており、
前記制御ケースは、合わせ面を有すると共に前記合わせ面で合わされた複数個の分割ケースと、複数個の前記分割ケースの前記合わせ面に介在すると共に前記制御ケースの前記収容室の密閉性を高めるシール部材とで構成されており、
前記制御ケースは前記シール部材の存在を前記制御ケースの外側から確認する確認窓を有しており、
前記制御ケースは前記制御ケースから露出する放熱板を有しており、且つ、前記実装部品のうち相対的に発熱量が大きい実装部品は前記放熱板に取り付けられており、前記実装部品のうち相対的に発熱量が小さい実装部品は、前記実装面同士を互いに対向させた状態で前記制御ケースの前記収容室内に配置された前記制御基板の前記実装面に取り付けられていることを特徴とする人体局部洗浄装置。
【請求項２】
請求項１において、少なくとも２枚の前記制御基板は、前記制御基板の前記実装面の実装部品同士が干渉しないように、前記実装部品を搭載した前記実装面同士を互いに対向させた状態で配置されており、前記制御ケースは前記制御基板の積層方向においてコンパクト化されていることを特徴とする人体局部洗浄装置。
【発明の詳細な説明】
【０００１】
【発明の属する技術分野】
本発明は、使用者の局部に洗浄液を噴出して局部を洗浄するシャワー部を有する人体局部洗浄装置に関する。
【０００２】
【従来の技術】
この種の人体局部洗浄装置は、基部と、基部に装備され使用者が着座する便座と、基部に装備され使用者の局部に洗浄水を噴出して局部を洗浄するシャワー部と、シャワー部の作動を制御する制御装置とを備えている。人体局部洗浄装置は、装置全体のコンパクト化がますます要求されている。殊に、一般家庭への普及が進むにつれて、アパートやワンルームマンションなどの狭いトイレルームでも容易に設置が出来るような人体局部洗浄装置の全体のコンパクト化がますます要求されている。また、人体局部洗浄装置は、トイレルームで長期間にわたって設置されることから、水、小便、湿分が装置内部に侵入する場合があり、制御装置に搭載されている電子部品または電気部品などの実装部品は、防湿性を必要とする。
【０００３】
そこで、特開平０７ー３２１４７２号公報に示すように、実装部品を搭載した制御基板の防湿を目的として、制御基板の全体を開放型の樹脂製の制御ケースに入れ、ウレタンやエポキシなどの弾力性のある封止剤で、制御基板に搭載されている電子部品または電気部品などの実装部品を制御基板と共に被覆してこれらを封入する構造が採用されていた。このものでは、制御装置に搭載されている電子部品または電気部品などの実装部品の防湿性を高めることができ、長寿命化に有利である。
【０００４】
更に、上記した公報に係る技術によれば、制御ケースの収容室において、制御基板の実装面に搭載した実装部品同士が互いに背向するように、２枚の制御基板が所定の間隔を隔てて積層されている。
【０００５】
【発明が解決しようとする課題】
上記した人体局部洗浄装置においては、制御基板に搭載されている電子部品または電気部品等の実装部品の各リード線類は制御基板から露出しており、そのぶんのスペースを必要とし、制御ケースのコンパクト化には限界があった。更に、複数枚の制御基板は所定の間隔を隔てて積層されているものの、複数の制御基板については、実装面に搭載した実装部品同士を互いに背向させているため、制御ケースのコンパクト化には限界があった。
【０００６】
本発明は上記した実情に鑑みてなされたものであり、導電部材に対する防湿性を一層高めて、水分、小便、湿分の侵入を抑えるのに一層有利とし、更に、制御装置に係る制御ケースのコンパクト化に有利な人体局部洗浄装置を提供することを課題とする。
【０００７】
【課題を解決するための手段】
本発明に係る人体局部洗浄装置は、基部と、基部に装備され使用者が着座する便座と、基部に装備され使用者の局部に洗浄液を噴出して局部を洗浄するシャワー部と、シャワー部の作動を制御する制御装置とを具備する人体局部洗浄装置において、
制御装置は、内部に収容室を形成し樹脂を基材とする制御ケースと、制御ケースの収容室に収容された電子部品または電気部品からなる実装部品と、導電材料で形成され制御ケースの壁部に埋設され実装部品に電気的に導通する一端部をもつと共に相手コネクタ部または収容室内の他の実装部品に電気的に導通する他端部をもつ導電部材と、実装部品の少なくとも一部を搭載する実装面を有すると共に収容室内において所定の間隔を隔てて積層された複数枚の制御基板とを有しており、
制御ケースは、合わせ面を有すると共に合わせ面で合わされた複数個の分割ケースと、複数個の分割ケースの合わせ面に介在すると共に制御ケースの収容室の密閉性を高めるシール部材とで構成されており、制御ケースはシール部材の存在を制御ケースの外側から確認する確認窓を有しており、
制御ケースは制御ケースから露出する放熱板を有しており、且つ、実装部品のうち相対的に発熱量が大きい実装部品は放熱板に取り付けられており、実装部品のうち相対的に発熱量が小さい実装部品は、実装面同士を互いに対向させた状態で制御ケースの収容室内に配置された制御基板の実装面に取り付けられていることを特徴とするものである。
【０００８】
制御ケースは樹脂を基材とするものであり、電気的絶縁性が高い。樹脂としては特に限定されず、熱可塑性樹脂または熱硬化性樹脂の公知の樹脂を採用することができ、ポリブチレンテレフタレート、ポリアミド、ポリプロピレン、ポリカーボネート、ポリアセタール、ＡＢＳ、ＰＭＭＡ等を例示できる。制御ケースに埋設されている導電部材としては導電ワイヤ、印刷回路、リード線を例示できる。導電部材の材質としては導電材料であれば良く、リン青銅、銅、アルミニウム、鋼、ステンレス、チタン、金、これらの合金を例示できる。本発明に係る人体局部洗浄装置によれば、制御ケースの収容室に収容された電子部品または電気部品からなる実装部品に導通する導電部材は、制御ケースの壁部に埋設されているため、防湿性が確保される。防湿性を高めるためには、導電部材は制御ケースの壁部の肉厚内に完全隠蔽状態に埋設されていても良いし、導電部材が制御ケースの壁部に埋設されつつも、導電部材の端部が制御ケースの外壁面に露出していても良い。
本発明に係る人体局部洗浄装置によれば、次の少なくとも一つの方式を採用することができる。
【０００９】
・導電部材としては、制御ケースの収容室内の実装部品とコネコタ部とを導通させるものでも良いし、あるいは、制御ケースの収容室内の実装部品同士を導通させるものでも良い。後者の場合には、制御ケースの収容室内に配置されている制御基板の搭載面に搭載されている実装部品と、制御ケースに設けられている放熱板に取り付けられた実装部品とを導通させるものでも良い。あるいは、制御ケースの収容室内に配置されている制御基板の搭載面に搭載されている実装部品同士を導通させるものでも良い。
【００１０】
・少なくとも一部の導電部材は、制御ケースの壁部に埋設されている埋設導電部と、制御ケースから露出した露出導電部とを有している方式を採用することができる。この場合には、導電部材への導電で発生したジュール熱を露出導電部からケース外に逃がすのに有利となる。更に、導電部材のうちの露出導電部に、収容室内の実装部品の端子を電気的に接続させ易い。
【００１１】
・少なくとも一部の導電部材の露出導電部の先端部は、中央空間を有する凹形状とすることができる。中央空間を有する凹形状としては、Ｕ字形状、Ｙ字形状、またはＣ形状等が例示される。この場合には、収容室に収容されている実装部品（放熱板に搭載されている実装部品を含む）のリード端子を、露出導電部の先端部の凹形状を構成する中央空間に配置すれば、両者を電気的に接続することが容易化する。接続の際に半田付けすることが好ましい。
【００１２】
・電子部品または電気部品からなる実装部品としては、制御ケースの収容室に配置される制御基板の実装面に搭載されている方式を採用することができる。この場合、複数の制御基板を所定の間隔を隔てて積層させるように制御ケースの収容室内に配置する。制御基板としては、例えば、制御ケースの収容室の内寸法とほぼ同じサイズか、あるいは、少しだけ小さめのサイズとすることができる。制御基板は、これに搭載されている実装部品に電気的に接続されたスルーホール等のホールを有している方式を採用することができる。ホールは、相手導電部材が挿通された状態で半田付けされる孔を有する導電性を有する部材を意味する。ホールとしては、貫通状態のスルーホール、未貫通ホールのいずれでも良い。
【００１３】
・少なくとも一部の導電部材は、制御ケースの壁部に埋設されている埋設導電部と、制御ケースから露出した露出導電部とを有している。そして導電部材の露出導電部の先端部を、制御基板のスルーホールなどのホールに挿入して半田付けしている方式を採用することができる。これにより制御ケースの壁部に埋設された導電部材は、制御基板のスルーホールなどのホールを介して制御基板の実装部品に電気的に導通可能となる。
【００１４】
・少なくとも２枚の制御基板は、制御基板の実装面の実装部品同士が干渉しないように、実装部品を搭載した実装面同士を互いに対向させた状態で配置されており、これにより制御ケースは制御基板の積層方向にコンパクト化されている方式を採用することができる。
【００１５】
・制御ケースは、合わせ面を有すると共に合わせ面で合わされた複数個のケースと、複数個のケースの合わせ面に介在すると共に制御ケースの収容室の密閉性を高めるシール部材とで構成されている。収容室の密閉性、防湿性が確保される。
【００１６】
・制御ケースはシール部材の存在を制御ケースの外側から確認する確認窓を有する。シール部材の取り付け忘れを防止でき、制御ケースの収容室の密閉性、防湿性を高めるのに有利である。
【００１７】
・制御ケースとしては、放熱性をもつ材料で形成された放熱板を備えている方式を採用することができる。この場合、放熱板は、制御ケースに一体的にインサート成形された埋設部と、制御ケースから露出すると共に発熱素子が取り付けられる露出部とを有する方式を採用することができる。このように放熱板が制御ケースに一体的に埋設されて取り付けられているため、放熱板を制御ケースに取り付ける取付具を廃止できる。また放熱板の露出部は制御ケースに埋設されているのではなく、制御ケースから露出しているため、収容室の外方への放熱性が確保される。殊に、発熱量が多い発熱素子が放熱板の露出部に取り付けられれば、発熱素子の発熱を放出させるのに有利である。この場合、実装部品のうち発熱量が少ないものを制御基板に取り付け、実装部品のうち発熱量が多いものを放熱板に取り付けることが好ましい。
【００１８】
・制御ケースは開口を備えており、放熱板の露出部が制御ケースの開口を閉鎖している方式を採用することができる。この場合には、放熱板の露出部が制御ケースの開口つまり収容室を閉鎖しているため、放熱板を利用して制御ケースの収容室を密閉化またはほぼ密閉化させるのに有利であり、収容室に対する防湿性を高め得る。更に制御ケースに放熱板が埋設されているため、制御ケースの容積を確保しつつ、制御ケースの形成に必要とする樹脂量を減少させるのに有利となり、コスト低廉に寄与できる。放熱板の形状は特に限定されるものではなく、断面Ｌ字形状、断面コの字形状、断面Ｉ形状、断面Ｃ形状等の少なくとも一方を例示できる。放熱板の材質は放熱性が良いものが好ましく、一般的には金属を採用できる金属としては、アルミニウム、鋼、ステンレス、銅、チタン、これらの合金等を例示できる。
【００１９】
・制御ケースのうち放熱板の近傍の壁部分は、発熱素子を位置決めする位置決め部を有する方式を採用することができる。これにより発熱素子の取り付けが容易となる。放熱板は発熱素子を取り付ける取付部を有することが好ましい。取り付部としては雌螺子、雄螺子、凹凸係合の少なくとも一方を例示できる。
【００２０】
・制御ケースは、制御ケースの外壁面側に設けられ相手コネクタ部と電気的に導通するコネクタ部を備えている方式を採用することができる。コネクタ部は、相手コネクタ部と嵌合すると共に制御ケースと一体的に成形されたコネクタハウジング部を有し、少なくとも一部の導電部材の露出導電部はコネクタハウジング部に設けられている方式を採用することができる。この場合、コネクタ部のハウジング部の底面は、制御ケースの外壁面よりも制御ケースの収容室側に寄せられている方式を採用することができる。この場合、制御ケース全体のコンパクト化に有利である。
【００２１】
・発熱素子のうち互いに隣設するリード端子間に、隣設するリード端子間をつなぐ距離を増加させ得る壁部を制御ケースと一体的に形成した方式を採用することができる。この場合には、隣設するリード端子間の沿面距離を長くすることができる。これにより発熱素子に高電圧が印加される場合であっても、発熱素子のリード端子間の放電を防止するのに有利となる。
【００２２】
・制御ケースは制御ケースから露出する放熱板を有しており、且つ、実装部品のうち相対的に発熱量が大きい実装部品は放熱板に取り付けられており、実装部品のうち相対的に発熱量が小さい実装部品は、実装面同士を互いに対向させた状態で制御ケースの収容室内に配置された制御基板の実装面に取り付けられている方式を採用する。この場合には、互いに対向させた状態で複数の制御ケースの収容室内に配置された制御基板の実装面の間における熱こもりを抑えるのに有利である。
【００２３】
【発明の実施の形態】
以下、本発明を具体化した実施形態について図１〜図１４を参照して説明する。図１，図２は人体局部洗浄装置の全体を示す。この人体局部洗浄装置は、洋式の便器１００に取り付けられる基部１１０と、基部１１０に揺動可能に装備され使用者が着座する便座１２０と、基部１１０に揺動可能に装備された蓋１３０と、基部１１０に装備され使用者の局部に洗浄液としての洗浄水を噴出して局部（肛門等）を洗浄するシャワー部１４０と、シャワー部１４０の作動を制御する制御装置１５０とを備えている。基部１１０は、各種のスイッチ１１２が設けられた操作パネル１１１を横方に有する。シャワー部１４０に温水を供給するヒータ内蔵の温水タンク１４５が基部１１０内に設けられている。便器１００内に給水する貯水タンク１１３が便器１００の後方側に設けられている。スイッチ１１２としては、シャワー部１４０から洗浄水を噴出して洗浄処理を開始する洗浄開始スイッチ、洗浄処理を終了する洗浄終了スイッチ、便座に内蔵のヒータをオンするスイッチなどがある。シャワー部１４０は、温水タンク１４５から給水される前進後退可能な給水筒１４１と、給水筒１４１を前進後退させるモータ内蔵の駆動部１４２とを有する。制御装置１５０は、樹脂（例えばポリブチレンテレフタレート=ＰＢＴ）を基材とする箱状をなす制御ケース２を有する。
【００２４】
以下、制御ケース２について説明を加える。図３は、制御ケース２を構成する第1分割ケースとしての上ケース２１を示す。上ケース２１は樹脂（例えばＰＢＴ）で形成されており、背の高い壁部２１ａと背の低い壁部２１ｂとを有しており、内部に収容室２ｘを形成する。上ケース２１には、放熱性が良い金属（例えばアルミニウム合金）で形成された放熱板２９がインサート成形により一体的に取り付けられている。放熱板２９は、コンパクト化を図りつつ放熱面積を確保できるように、断面でＬ字形状をなしている。放熱板２９は、上ケース２１の壁部２１ｃの肉厚内に隠蔽されて一体的に埋設された埋設部２９ａと、上ケース２１から露出する露出部２９ｂとを有する。放熱板２９の露出部２９ｂの外壁面は収容室２ｘの外方に対面し、放熱板２９の露出部２９ｂの内壁面は収容室２ｘに対面しており、これにより放熱板２９の露出部２９ｂからの放熱性が確保されている。なお、制御ケース２が人体局部洗浄装置に装備されているときには、放熱板２９の埋設部２９ａは制御ケース２９の上面側に配置されている。
【００２５】
上ケース２１の壁部２１ｃは開口２１ｅを有しているが、この開口２１ｅひいては収容室２ｘを放熱板２９が密閉して閉鎖している。このように放熱板２９が上ケース２１の収容室２ｘを閉鎖しているため、放熱板２９により収容室２ｘの密閉性、防湿性が高まる。放熱板２９の埋設部２９ａは上ケース２１の壁部２１ｃの肉厚内に一体的に埋設されて取り付られているため、放熱板２９を制御ケース２に取り付けるための取付具を廃止できる。更に、放熱板２９による放熱機能の他に、制御ケース２の壁部２１ｃを補強する補強機能を有する。更に上ケース２１を構成する樹脂の使用量を低減できる。
【００２６】
放熱板２９の露出部２９ｂには、収容室２ｘ内に位置するように発熱素子５７を取り付ける雌螺子孔で形成された取付部２９ｃが設けられている。上ケース２１には、放熱板２９の近傍に、発熱素子５７を当接または接近させて位置決めする凹形状の位置決め部２９ｅが形成されている。
【００２７】
図３に示すように、上ケース２１の片側には、第１連結孔２１ｆを有する第１ボス部２１ｈが上ケース２１と一体的に設けられている。制御ケース２の他の片側には、係止孔２１ｋを有する係止部２１ｍが上ケース２１と一体的に設けられている。
【００２８】
図３に示すように、上ケース２１の合わせ面には、上ケース２１を１周する環状のシール溝２１ｎが形成されている。シール溝２１ｎには、ゴムや樹脂等の弾性材料で形成された環状のシール部材２１ｐが嵌まる。シール部材２１ｐのシール作用により、制御ケース２の収容室２ｘの密閉性、ひいては防湿性が向上する。
【００２９】
本実施形態によれば、図３に示すように、上ケース２１のうちの高さが低い壁部２１ｂの肉厚内には、導電部材として機能する第１リードワイヤ３がインサート成形により一体的に埋設されている。同様に、上ケース２１のうちの高さが高い壁部２１ａの肉厚内には、導電部材として機能する第２リードワイヤ４がインサート成形により一体的に埋設されている。第１リードワイヤ３及び第２リードワイヤ４はそれぞれ導電材料である金属で形成されており、例えば、導電性、剛性、耐食性に優れたリン青銅等の銅合金で構成されており、上ケース２１内に多数埋設されている。
【００３０】
図５は第２分割ケースとしての下ケース２６を示す。下ケース２６は上ケース２１と合わさって制御ケース２を形成するものであり、樹脂（例えばＰＢＴ）を基材として形成されており、箱形状をなしており、壁部２６ａ〜２６ｅを有する。下ケース２６は、第２連結孔２６ｆをもつ第２ボス部２６ｈと、弾性腕２６ｍ及び爪部２６ｎを有するケース連結手段として機能するスナップフィット部２６ｐと、相手コネクタ部７Ａ，７Ｂのリード線等を通す空間２６ｘを下ケース２６の外壁面との間に形成するフック部２６ｒと、人体局部洗浄装置の基部１１０に着脱可能に取り付けられる制御ケース取付部として機能するステー２６ｓとを有する。下ケース２６のスナップフィット部２６ｐを上ケース２１の係止部２１ｍの係止孔２１ｋに着脱可能に係止させると共に、上ケース２１の第１ボス部２１ｈの第１連結孔２１ｆ及び下ケース２６の第２ボス部２６ｈの第２連結孔２６ｆに連結螺子２７を取り付けることにより、下ケース２６と上ケース２１とは着脱可能に一体的に連結される。この結果、収容室２ｘを密閉状態またはほぼ密閉状態とした制御ケース２が形成される。
【００３１】
図６、図７、図８は上ケース２１と下ケース２６が連結されて制御ケース２が組付けられた状態を示す。上ケース２１と下ケース２６との境界には、前述したように、合わせ面に形成されたシール溝２１ｎに挿入されたシール部材２１ｐが設けられているため、上ケース２１の合わせ面と下ケース２６の合わせ面との境界のシール性は確保され、収容室２ｘの密閉性、防湿性が高まる。
【００３２】
図８に示すように、前記した第１リードワイヤ３は、上ケース２１の肉厚内に隠蔽状態に埋設されている第１埋設導電部３１と、上ケース２１から上ケース２１の内方に露出した第１内方露出導電部３２と、上ケース２１から上ケース２１の外方に露出した第１外方露出導電部３３とを有する。このように第１リードワイヤ３の一部が上ケース２１から露出していれば、第１リードワイヤ３で発生したジュール熱を逃がすのに有利となる。なお、第１埋設導電部３１は第１リードワイヤ３の中間部を構成し、第１内方露出導電部３２は第１リードワイヤ３の一端部を構成し、第１外方露出導電部３３は第１リードワイヤ３の他端部を構成する。
【００３３】
図８に示すように、前記した第２リードワイヤ４は、同様に、上ケース２１の肉厚内に隠蔽状態に埋設されている第２埋設導電部４１と、上ケース２１から上ケース２１の内方に露出した第２内方露出導電部４２と、上ケース２１から上ケース２１の外方に露出した第２外方露出導電部４３とを有する。このように第２リードワイヤ４の一部が上ケース２１から露出していれば、第２リードワイヤ４で発生したジュール熱を逃がすのに有利となる。なお、第２埋設導電部４１は第２リードワイヤ４の中間部を構成し、第２内方露出導電部４２は第２リードワイヤ４の一端部を構成し、第２外方露出導電部４３は第２リードワイヤ４の他端部を構成する。
【００３４】
図４に示すように、上ケース２１の外壁面２１０には、コネクタ部２５が上ケース２１から表出して上ケース２１と一体的に設けられている。コネクタ部２５は、導線部７ｐを有する相手コネクタ部７Ａと電気的に導通するものであり、上ケース２１と一体的に成形された嵌合空間２５ｒをもつ箱形のコネクタハウジング部２５ｈを有する。図８に示すように、前記した第１リードワイヤ３の第１外方露出導電部３３がピンコンタクトを構成し、コネクタハウジング部２５ｈの嵌合空間２５ｒに露出している。図８に示すように、コネクタ部２５のコネクタハウジング部２５ｈの嵌合空間２５ｒに相手コネクタ部７Ａが嵌合されると、第１リードワイヤ３の第１外方露出導電部３３は相手コネクタ部７の相手導電部材に嵌合して電気的に導通する。
【００３５】
図７に示すように、上ケース２１の外壁面２１０の他の部分には、上ケース２１と一体的なコネクタ部２４が設けられている。コネクタ部２４は、上ケース２１と一体的に成形された嵌合空間２４ｒをもつ箱形のコネクタハウジング部２４ｈを有する。図８に示すように、前記した第２リードワイヤ４の第２外方露出導電部４３がコネクタハウジング部２４ｈの嵌合空間２４ｒに露出している。図８に示すように、コネクタ部２４のコネクタハウジング部２４ｈの嵌合空間２４ｒに相手コネクタ部７Ｂが嵌合されると、第２リードワイヤ４の第２外方露出導電部４３は相手コネクタ部７Ｂの相手導電部材に嵌合して電気的に導通する。
【００３６】
図８に示すように、コネクタ部２５，２４のコネクタハウジング部２５ｈ，２４ｈの底面２５ｋ，２４ｋは、上ケース２１の外壁面２１０よりも収容室２ｘ側に寄せられ、制御ケース２の収容室２ｘ側に向けて退避している。これにより相手コネクタ部７Ａとコネクタ部２５との嵌合長さを確保しつつ、コネクタハウジング部２５ｈが上ケース２１の外壁面２１０から突出する寸法β1（図８参照）を抑えることができる。同様に、相手コネクタ部７Ｂとコネクタ部２４との嵌合長さを確保しつつ、コネクタハウジング部２４ｈが上ケース２１の外壁面２１０から突出する寸法β２（図８参照）を抑えることができる。このように寸法β１，β２を抑えることができるため、制御ケース２のコンパクト化に有利となる。
【００３７】
図８に示すように、制御ケース２の収容室２ｘには、第１の制御基板５１及び第２の制御基板５５とが所定の間隔を隔てて積層状態に収容されている。第１の制御基板５１及び第２の制御基板５５は、制御ケース２の収容室２ｘの内寸法とほぼ同じサイズか、あるいは、少しだけ小さめのサイズとされている。第１の制御基板５１の実装面５１ａには、電子部品または電気部品からなる複数個の実装部品５２、実装部品５２に印刷導電通路を経て導通する導電材料で形成された環状の複数個のスルーホール５１ｃが搭載されている。スルーホール５１ｃは第１の制御基板５１の厚み方向に貫通する。第２の制御基板５５の実装面５５ａには、電子部品または電気部品からなる複数個の実装部品５６、実装部品５６に印刷導電通路を経て導通する導電材料で形成された環状の複数個のスルーホール５５ｃが搭載されている。スルーホール５５ｃは第２の制御基板５５の厚み方向に貫通する。図８に示すように、第１の制御基板５１のスルーホール５１ｃは、第１リードワイヤ３の第１内方露出導電部３２に容易に差し込まれるように、第１リードワイヤ３に対応する位置に設けられている。第２の制御基板５５のスルーホール５５ｃは、第２リードワイヤ４の第２内方露出導電部４２に容易に差し込まれるように、第２リードワイヤ４に対応する位置に設けられている。
【００３８】
本実施形態によれば、図８に示すように、第１の制御基板５１の実装面５１ａと第２の制御基板５５の実装面５５ａとを互いに対向させた状態で、第１の制御基板５１と第２の制御基板５５とが制御ケース２の収容室２ｘ内に収容されている。このとき、第１の制御基板５１の実装面５１ａに搭載されている突起状の実装部品５２と、第２の制御基板５５の実装面５５ａに搭載されている突起状の実装部品５６とが互いに干渉しないようにされている。このように干渉しない構造とすれば、第１の制御基板５１と第２の制御基板５５とを互いに接近させた状態で収容室２ｘに収容することができ、第１の制御基板５１と第２の制御基板５５との積層方向における制御ケース２のコンパクト化に有利となる。即ち上記したように第１の制御基板５１の実装面５１ａと第２の制御基板５５の実装面５５ａとを互いに対向させているため、制御基板５１，５５の積層方向における制御ケース２の寸法のコンパクト化を図るのに有利となる。
【００３９】
本実施形態によれば、収容室２ｘ内に配置されている実装部品のうち発熱性が高いものは、第１の制御基板５１の実装面５１ａ、第２の制御基板５５の実装面５５ａに取り付けるのではなく、放熱板２９に取り付けている。従って、第１の制御基板５１の実装面５１ａ、第２の制御基板５５の実装面５５ａに取り付られる実装部品５２，５６は、発熱素子５７よりも発熱量が少ない。このため上記したように制御ケース２の収容室２ｘ内において、第１の制御基板５１の突起状の実装部品５２と、第２の制御基板５５の実装部品５６とを互いに対向させて向き合わせたとしても、第１の制御基板５１の実装面５１ａと第２の制御基板５５の実装面５５ａとの間における熱こもりは、抑えられる。
【００４０】
図８に示すように、第１の制御基板５１は上ケース２１に寄せて収容室２ｘ内に配置されている。相手コネクタ部７Ａに接続される第１リードワイヤ３の第１内方露出導電部３２は、図８に示すように、第１の制御基板５１のスルーホール５１ｃに挿入された状態で半田付けされている。必要に応じて半田付け部分に封止剤を塗布することができる。半田付けにより、第１リードワイヤ３は、第１の制御基板５１のスルーホール５１ｃを介して第１の制御基板５１の実装部品５２に電気的に接続されている。この結果、コネクタ部２５と第１の制御基板５１の実装部品５２とは電気的に接続されている。
【００４１】
相手コネクタ部７Ｂに接続される第２リードワイヤ４の第２内方露出導電部４２は、図８に示すように、第２の制御基板５５のスルーホール５５ｃに挿入された状態で半田付けされている。必要に応じて半田付け部分に封止剤を塗布することができる。半田付けにより第２リードワイヤ４は、第２の制御基板５５のスルーホール５５ｃを介して第２の制御基板５５の実装部品５６に電気的に接続されている。この結果、コネクタ部２４と第２の制御基板５５の実装部品５６とは電気的に接続されている。
【００４２】
図８に示すように、実装部品のうち発熱量が大きい発熱素子５７（例えば三端子レギュレータ、トライアック等）は、放熱板２９の露出部２９ｂのうち収容室２ｘに対面するように取り付けられている。具体的には、発熱素子５７の通孔５７ａに挿通した取付具として機能するタッピングスクリュー５８を放熱板２９の露出部２９ｂの取付部２９ｃに螺着することにより、発熱素子５７が放熱板２９に密着して取り付けられている。発熱素子５７で発生した熱は、放熱板２９に伝熱され、放熱板２９から収容室２ｘの外方に放出されるため、収容室１ｘ内から排出される。
【００４３】
図８に示すように、上ケース２１の外壁面２１０にシール突出部２１ｗが一体成形されている。シール突出部２１ｗは、タッピングスクリュー５８の雄螺子を有する軸部５８ｍを覆っていると共に、放熱板２９の孔状の取付部２９ｃをシールし、制御ケース２の収容室２ｘの防湿性を高めている。
【００４４】
図１０に示すように、発熱素子５７のボディ部５７ｃは、上ケース２１の凹状の位置決め部２９ｅの壁面に接触して位置決めされている。発熱素子５７は複数のリード端子５７ｆを有する。そして、立壁部２１ｖが上ケース２１のうち収容室２ｘに対面する部分に一体的に立設されている。立壁部２１ｖは、互いに隣設するリード端子５７ｆ間に配置されており、互いに隣設するリード端子５７ｆをつなぐ電界距離を増加させている。即ち、立壁部２１ｖは、発熱素子５７の互いに隣設するリード端子５７ｆ間の沿面距離を長くしている。これにより発熱素子５７の入力電圧が高い場合であっても、発熱素子５７の互いに隣設するリード端子５７ｆ間の放電を防止するのに有利となる。従って、立壁部２１ｖは沿面距離増加手段として機能する。
【００４５】
図９に示すように、第２の制御基板５５は、上ケース２１の高さが高い壁部２１ａの頂部２１ａｏに当接されて位置決めされている。第２リードワイヤ４の第２内方露出導電部４２の先端部は、第２の制御基板５５のスルーホール５５ｃに挿入された状態で半田付けされている。
【００４６】
図９に示すように、第２リードワイヤ４の第２内方露出導電部４２の根元には、封止剤６が装填されてシールされている。これにより上ケース２１と第２リードワイヤ４との境界をシールしている。第２リードワイヤ４の第２内方露出導電部４２は、上ケース２１の壁部２１ａの壁部端面２１ｕから寸法Ｍ露出している。これにより半田付け性を損なうおそれがある封止剤６が第２リードワイヤ４の第２内方露出導電部４２の先端部に触れにくくなり、第２内方露出導電部４２における半田付け性が確保される。図９に示すように、上ケース２１の壁部端面２１ｕは、壁部端面２１ｕに塗布した固化前の封止剤６の流出を抑える方向に傾斜している。つまり上ケース２１の壁部端面２１ｕは、収容室２ｘの内方に向かうにつれて上昇（矢印Ｙ１方向）すると共に、収容室２ｘの外方に向かうにつれて下降（矢印Ｙ２方向）するように傾斜している。これにより第２リードワイヤ４と上ケース２１との境界のシール性が確保される。従って壁部端面２１ｕは封止剤流出防止手段として機能できる。封止剤６としては、樹脂を採用でき、例えばシリコーン樹脂などを採用できる。
【００４７】
図１１に示すように、第１リードワイヤ３には第１埋設導電部３１Ｂが上ケース２１の肉厚内に埋設されている状態で導出されている。第１リードワイヤ３の第１埋設導電部３１Ｂは、放熱板２９に取り付けられた発熱素子５７と、第１の制御基板５１の実装部品５２とを電気的に導通させる機能を果たす。第１埋設導電部３１Ｂの先端部に形成されている第１内方露出導電部３２Ｂは、発熱素子５７の近傍において、上ケース２１から露出しつつ収容室２ｘに臨んでいる。この第１内方露出導電部３２Ｂの先端部は、中央空間３２ｍを有する凹形状とされている。この結果、第１リードワイヤ３の内方露出導電部３２Ｂの先端部は、中央空間３２ｍを有するＵ字形状とされている。この場合、図１１に示すように、放熱板２９に取り付けられている発熱素子５７のリード端子５７ｆを、第１内方露出導電部３２Ｂの先端部の中央空間３２ｍに嵌めて配置すれば、両者を電気的に接続することが容易化する。この接続の際に両者を半田付けした後に、図略の樹脂製の封止剤を接続部分に塗布して接続部分の防湿性を高めている。発熱素子５７のリード端子５７ｆは高電圧が印加されるためである。上記のように第１リードワイヤ３の第１内方露出導電部３２Ｂの先端部は中央空間３２ｍを有するＵ字形状とされているため、第１内方露出導電部３２Ｂにおける半田付け量、半田付け面積、封止剤塗布量を確保することができる。更に第１内方露出導電部３２Ｂの先端部がＵ字形状であるため、発熱素子５７のリード端子５７ｆが複数ある場合であっても、その発熱素子５７のリード端子５７ｆを容易に嵌めて接続するのに有利となる。
【００４８】
本実施形態によれば、図１１、図１２に示すように、上ケース２１には、貯留空間形成手段として機能できる突起壁部６９が上向きに一体的に形成されている。第１の制御基板５１の表面は、上ケース２１の突起壁部６９に当接して位置決めされている。突起壁部６９により、浅底の底面をもつ貯留空間６９ｐが上ケース２１の壁部に形成されている。貯留空間６９ｐに樹脂製の封止剤６が注入固化されてシールしている。これにより上ケース２１とこれに埋設されている第１リードワイヤ３との境界のシール性を高め、防湿性を高めている。更に図１１に示すように樹脂製の封止剤６は第１の基板５１の表面に接合しており、第１の基板５１の保持性が確保されている。なお、貯留空間６９ｐ内の封止剤６が貯留空間６９ｐの外方に流出することが突起壁部６９により防止され、封止剤６によるシール性が維持される。なお封止剤６を塗布するのは、この部分における電気的接続部分に高電圧が印加され易いからである。
【００４９】
更に本実施形態によれば、図１３に示すように、第１の制御基板５１のうち前記した貯留空間６９ｐ側の縁には、隣設するスルーホール５１ｃの間を矢印Ｓ１方向に退避させることにより、凹形状の多数の切欠８２からなる切欠群８０が形成されている。この場合、図１２に示すように、切欠群８０により上ケース２１の内縁との間の距離Ｃが確保されるため、固化前の樹脂製の封止剤６を上ケース２１の貯留空間６９ｐに装填し易くなる。
【００５０】
更に本実施形態によれば、図１４に示すように、上ケース２１のうちシール溝２１ｎ付近には、小さな確認窓２１ｉが形成されている。シール溝２１ｎ内のシール部材２１ｐの存在の有無を制御ケース２の外側から確認窓２１ｉを介して視認できるため、シール部材２１ｐの取り付け忘れを確認することができ、この意味においても収容室２ｘ内の防湿性を高め得る。従って、確認窓２１ｉは、シール部材２１ｐの存在の有無を確認するシール部材確認手段として機能できる。
【００５１】
ところで、制御ケース２の収容室２ｘ内に配置されている発熱素子５７による発熱、発熱停止の繰返し等により収容室２ｘに減圧現象が生じることがある。この場合、減圧に伴い制御ケース２内の呼吸作用が発生することがある。この場合、人体局部洗浄装置の使用期間が長期にわたると、第１リードワイヤ３、第２リードワイヤ４が上ケース２１の肉厚内に隠蔽されて埋設されているといえども、第１リードワイヤ３と上ケース２１との境界、第２リードワイヤ４と上ケース２１との境界から、制御ケース２外の水分が微小ではあるが、制御ケース２の収容室２ｘ内に浸透するおそれがある。そこで図８に示すように、収容室２ｘの内部と外部とを連通する微小の逃孔２６ｔを下ケース２６に形成している。逃孔２６ｔにより収容室２ｘの内外との間の差圧を常に抑え、ひいては上記した呼吸作用を抑え、第１リードワイヤ３、第２リードワイヤ４と上ケース２１との境界から収容室２ｘ内への水分浸透を抑えている。この意味においても収容室２ｘの防湿性が確保されている。なお、図８に示すように、逃孔２６ｔは放熱板２９により遮蔽されており、塵埃、水分等が収容室２ｘに侵入しないようにされている。なお逃孔２６ｔは上ケース２１または放熱板２９に形成しても良い。
【００５２】
なお本実施形態によれば、制御ケース２の組み付け手順としては、上ケース２１に第１の制御基板５１を取り付け、更に第２の制御基板５５を取付け、その後に上ケース２１に下ケース２６を連結するように組み付けるように行うことができる。
【００５３】
以上説明したように本実施形態によれば、制御装置１５０に係る実装部品５２，５６に電気的に接続される導電部材として機能する第１リードワイヤ３，第２リードワイヤ４が、樹脂製の制御ケース２の壁部の肉厚内に埋設されているため、第１リードワイヤ３，第２リードワイヤ４を収容室２ｘ内で配置するスペースが不要となり、制御装置１５０に係る制御ケース２のコンパクト化に有利である。従って、広いトイレルームにおいても、狭いトイレルームにおいても、人体局部洗浄装置を設置する設置性を向上させることができる。
【００５４】
更に本実施形態によれば、前述したように、第１リードワイヤ３，第２リードワイヤ４が樹脂製の制御ケース２の肉厚内に埋設されているため、第１リードワイヤ３，第２リードワイヤ４に対する防湿性を一層高め得る。よって、水分、小便、湿分が収容室２ｘに侵入することを抑え得、水分、小便、湿分に起因する故障を抑えるのに一層有利である。
【００５５】
また本実施形態によれば、一枚の制御基板ではなく、これを複数に分割している。即ち、第１の制御基板５１，第２の制御基板５５が所定の間隔を隔てて制御ケース２の収容室２ｘ内に積層されているため、制御ケース２のコンパクト化に有利である。加えて実施形態によれば、第１の制御基板５１の実装面５１ａの実装部品５２と第２の制御基板５５の実装面５５ａの実装部品５６とが互いに干渉しないように、第１の制御基板５１，第２の制御基板５５は、実装部品５２，５５を搭載した実装面５１ａ，５５ａ同士を互いに対向させた状態で配置されている。この結果、制御ケース２は制御基板５１，５５の積層方向のコンパクト化を更に進めることができる。
【００５６】
更に本実施形態によれば、制御ケース２は、合わせ面を有すると共に合わせ面で合わされた上ケース２１及び下ケース２６と、上ケース２１及び下ケース２６の合わせ面に介在するシール部材２１ｐとで構成されている。このため制御ケース２の収容室２ｘの密閉性、ひいては防湿性を高め得る。加えて本実施形態に係る制御ケース２には、シール部材２１ｐの存在を確認する確認窓２１ｉが形成されているため、シール部材２１ｐの取り付け忘れを未然に防止することができ、この意味においても、収容室２ｘの密閉性、ひいては防湿性を高め得る。
【００５７】
（他の例）上記した実施形態によれば、第１リードワイヤ３及び第２リードワイヤ４は上ケース２１に埋設されているが、これに代えて下ケース２６に埋設されていても良く、また上ケース２１及び下ケース２６の双方に埋設されていても良い。収容室２ｘには第１の制御基板５１と第２の制御基板５５とが所定の間隔を隔てて積層されているが、これに限らず、制御基板の数は３枚でもそれ以上でも良く、この場合にも実装部品を搭載した実装面同士を対向させると良い。また上記した実施形態によれば、金属製の第１リードワイヤ３及び第２リードワイヤ４を上ケース２１の肉厚内に埋設しているが、これに限らず、金属部材を絶縁膜で被覆した導電部材を樹脂製の上ケース２１の肉厚内に埋設することにしても良い。その他、本発明は上記し且つ図面に示した実施形態のみに限定されるものではなく、要旨を逸脱しない範囲内で適宜変更して実施できるものである。
【００５８】
（付記）上記した記載から次の技術的思想も把握できる。
［付記項１］使用者の局部に洗浄液を噴出して前記局部を洗浄するシャワー部を有する人体局部洗浄装置に装備される制御装置であって、内部に収容室を形成し樹脂を基材とする制御ケースと、前記制御ケースの収容室に収容された電子部品または電気部品からなる実装部品と、導電材料で形成され前記制御ケースの壁部に埋設され前記実装部品に電気的に導通する一端部をもつと共にコネクタ部または収容室内の他の実装部品に電気的に導通する他端部をもつ導電部材と、実装部品の少なくとも一部を搭載すると共に所定の間隔を隔てて積層された複数枚の制御基板とを有することを特徴とする人体局部洗浄装置用の制御装置。この場合、制御装置に係る制御ケースのコンパクト化に有利であり、更に導電部材に対する防湿性を一層高め得、水分、小便、湿分による制御装置の故障を抑えるのに一層有利となる。
［付記項２］機器を制御する制御装置であって、内部に収容室を形成し樹脂を基材とする制御ケースと、前記制御ケースの収容室に収容された電子部品または電気部品からなる実装部品と、導電材料で形成され前記制御ケースの壁部に埋設され前記実装部品に電気的に導通する一端部をもつと共にコネクタ部または収容室内の他の実装部品に電気的に導通する他端部をもつ導電部材と、実装部品の少なくとも一部を搭載すると共に所定の間隔を隔てて積層された複数枚の制御基板とを有することを特徴とする制御装置。この場合、制御装置に係る制御ケースのコンパクト化に有利であり、更に導電部材に対する防湿性を一層高め得、水分、小便、湿分による制御装置の故障を抑えるのに一層有利となる。
［付記項３］付記項１，２において、収容室を密閉状態に閉鎖する放熱板が埋設されていることを特徴とする制御ケースを有する制御装置または人体局部洗浄装置用の制御装置。
［付記項４］各請求項において、少なくとも一の制御基板の縁は、制御ケースにあてがわれており、且つ、制御ケースと制御基板との間に貯留空間が形成されており、貯留空間に封止剤が注入されて固化されていることを特徴とする人体局部洗浄装置。封止剤は防湿性ばかりか、相手結合性をも有するため、制御基板の保持性も向上する。
［付記項５］基部と、前記基部に装備され使用者が着座する便座と、前記基部に装備され使用者の局部に洗浄液を噴出して前記局部を洗浄するシャワー部と、前記シャワー部の作動を制御する制御装置とを具備する人体局部洗浄装置において、前記制御装置は、内部に収容室を形成し樹脂を基材とする制御ケースと、前記制御ケースの前記収容室に収容された電子部品または電気部品からなる実装部品と、導電材料で形成され前記制御ケースの壁部に埋設され前記実装部品に電気的に導通する一端部をもつと共にコネクタ部または前記収容室内の他の実装部品に電気的に導通する他端部をもつ導電部材と、前記実装部品の少なくとも一部を搭載する実装面を有すると共に前記収容室内において所定の間隔を隔てて積層された複数枚の制御基板とを有することを特徴とする人体局部洗浄装置。
【００５９】
【発明の効果】
本発明に係る人体局部洗浄装置によれば、制御ケースの収容室内の実装部品に電気的に接続される導電部材が、樹脂を基材とする制御ケースの壁部の肉厚内に埋設されているため、導電部材を制御ケース内で配置するスペースが不要または低減され、制御装置に係る制御ケースのコンパクト化に有利である。更に収容室内の実装部品に電気的に接続される導電部材が、樹脂を基材とする制御ケースの壁部の肉厚内に埋設されているため、導電部材の防湿性を一層高め得、水分、小便、湿分による故障を抑えるのに一層有利である。
【００６０】
また本発明に係る人体局部洗浄装置によれば、実装部品を搭載する制御基板を大きな一枚ではなく複数枚に分割し、そして、その複数枚の制御基板を制御ケースの収容室内に間隔を隔てて積層状態に配置しているため、制御ケースのコンパクト化に貢献できる。更に制御基板の実装面の実装部品同士が干渉しないように、実装部品を搭載した実装面同士を対向させた状態で複数枚の制御基板を制御ケースの収容室に積層状態に配置している場合には、制御ケースの更なるコンパクト化に一層有利である。
また本発明に係る人体局部洗浄装置によれば、制御ケースは、合わせ面を有すると共に合わせ面で合わされた複数個のケースと、複数個のケースの合わせ面に介在すると共に制御ケースの収容室の密閉性を高めるシール部材とで構成されているため、収容室の密閉性、防湿性が確保される。更に、制御ケースはシール部材の存在を制御ケースの外側から確認する確認窓を有するため、シール部材の取り付け忘れを防止でき、制御ケースの収容室の密閉性、防湿性を高めるのに有利である。
更に本発明に係る人体局部洗浄装置によれば、制御ケースは制御ケースから露出する放熱板を有する。そして、実装部品のうち相対的に発熱量が大きい実装部品は放熱板に取り付けられている。これに対して、実装部品のうち相対的に発熱量が小さい実装部品は、実装面同士を互いに対向させた状態で、制御ケースの収容室内に配置された制御基板の実装面に取り付けられている。この場合には、前述したように、互いに対向させた状態で複数の制御ケースの収容室内に配置された制御基板の実装面の間における熱こもりを抑えるのに有利である。
【図面の簡単な説明】
【図１】人体局部洗浄装置が便器に取付けられている状態を示す平面図。
【図２】人体局部洗浄装置が便器に取付けられている状態を示す側面図。
【図３】埋設されたリードワイヤ、放熱板を有する上ケースを示す斜視図である。
【図４】上ケースに設けられているコネクタ部に相手コネクタ部を接続する形態を示す要部の斜視図である。
【図５】下ケースを示す斜視図である。
【図６】上ケース及び下ケースを連結して形成した制御ケースの側面図である。
【図７】上ケース及び下ケースを連結して形成した制御ケースの平面図である。
【図８】上ケース及び下ケースを連結して形成した制御ケースの内部構造を示すと共に図７のＡ−Ａ線に沿った断面図である。
【図９】第２の制御基板を上ケースにあてがっていると共に第２の制御基板のスルーホールに第２リードワイヤを挿入した状態を示す要部の断面図である。
【図１０】発熱素子をタッピングスクリューで放熱板に取り付けた状態を示す要部の平面図である。
【図１１】図７のＢ−Ｂ線に沿った断面図である。
【図１２】図１１の矢印Ｗ１２方向からみた構造を示す矢視図である。
【図１３】図１１の矢印Ｗ１２方向からみた第１の制御基板の要部を示す矢視図である。
【図１４】シール部材の存在の有無を視認できる確認窓の構造を示すために、図１２の矢印Ｗ１４方向からみた部分側面図である。
【符号の説明】
図中、１１０は基部、１２０は便座、１４０はシャワー部、１５０は制御装置、２は制御ケース、２ｘは収容室、２１は上ケース（分割ケース）、２６は下ケース（分割ケース）、２９は放熱板、２９ａは埋設部、２９ｂは露出部、２９ｅは位置決め部、３は第１リードワイヤ（導電部材）、３１は第１埋設導電部、３２は第１内方露出導電部、３３は第１外方露出導電部、４は第２リードワイヤ（導電部材）、４１は第２埋設導電部、４２は第２内方露出導電部、４３は第２外方露出導電部、５１は第１の制御基板、５１ａは実装面、５１ｃはスルーホール（ホール）、５２,５６は実装部品、５５は第２の制御基板、５５ａは実装面、５５ｃはスルーホール（ホール）、５７は発熱素子（実装部品）、６は封止剤を示す。
【図１】
0004623352.tif 000002
【図２】
0004623352.tif 000003
【図３】
0004623352.tif 000004
【図４】
0004623352.tif 000005
【図５】
0004623352.tif 000006
【図６】
0004623352.tif 000007
【図７】
0004623352.tif 000008
【図８】
0004623352.tif 000009
【図９】
0004623352.tif 000010
【図１０】
0004623352.tif 000011
【図１１】
0004623352.tif 000012
【図１２】
0004623352.tif 000013
【図１３】
0004623352.tif 000014
【図１４】
0004623352.tif 000015